(57)【特許請求の範囲】
【請求項１】
前枠の前側に開閉可能に設けられた皿装置が開かれた場合に露出される前壁と、この前壁に左側に位置して前枠の前側に音を放出するように設けられた下放音部と、下放音部より音を前枠の前側に出すように下放音部に格納された低音用スピーカと、前枠の前側に皿装置よりも上部に位置して前枠の前側に音を放出するように設けられた上放音部と、上放音部より音を前枠の前側に出すように上放音部に対応して前枠に設けられた中高音用スピーカと、前枠の裏側に設けられて低音用スピーカおよび中高音用スピーカへの出力を制御する音制御装置と、上記前壁に設けられた収納部と、前枠の前側から収納部に取り付けられたスイッチ基板と、上記前壁に形成された配線孔とを備え、スイッチ基板の前面には音スイッチと複数のコネクタとが実装され、音スイッチが音制御装置からの駆動信号を制御することによって低音用スピーカおよび中高音用スピーカから出力される音を変える音操作部材を有し、複数のコネクタどうしがスイッチ基板に設けられた配線で接続され、音スイッチと複数のコネクタのうちの一方のコネクタとがスイッチ基板に設けられた配線で接続され、複数のコネクタのうちの他方のコネクタには低音用スピーカの裏側に接続された配線が下放音部の裏側および上記前壁の裏側から配線孔を経由して当該前壁の前側で接続され、複数のコネクタのうちの一方のコネクタには音制御装置と音スイッチとを接続するための配線が前枠の裏側から配線孔を経由して前壁の前側で接続されたことを特徴とする遊技機の音響装置。
【請求項２】
収納部が前枠の前壁の前側から裏側に窪む前方開放状に形成されたことを特徴とする請求項１記載の遊技機の音響装置。
【請求項３】
収納部が周縁より内側に突出するフックを備え、スイッチ基板の周縁が収納部の前側からフックの裏側に挿入され、収納部に収納されたスイッチ基板が収納部に固定具で取付けられ、フックが収納部の一側に配置され、固定具が収納部の他側に配置されたことを特徴とする請求項２記載の遊技機の音響装置。
【発明の詳細な説明】
【０００１】
【発明の属する技術分野】
本発明は、遊技機であって、特に、遊技者の聴覚に訴える音を調整する操作部材の設置に関する。
【０００２】
【従来の技術】
図８は特開平１１−７６５７１号公報で開示されたパチンコ機を示す。図８において、遊技者の聴覚に訴える音を調整する音量スイッチ１０１が遊技機枠体１０２にヒンジ１０３を介して前方横方向に片開き可能に取付けられた上皿装置１０４の裏面に設けられており、上皿装置１０４を開いて、音量スイッチ１０１を前側より操作し得るようになっている。上皿装置１０４の裏面にはスピーカ１０５も設けられている。
【０００３】
【発明が解決しようとする課題】
しかし、前記従来例は、音量スイッチ１０１が開閉部材である上皿装置１０４の裏面にもうけられた構造であるので、音量スイッチ１０１と遊技機枠体１０２の裏側に設けられた図外の制御装置とを接続する配線１０６に上皿装置１０４の開閉を可能とする長さつまり配線１０６の遊びが必要であるが、上皿装置１０４を閉じるとき、遊び部分の配線１０６が上皿装置１０４と遊技機枠体１０２との間に噛み込まれる可能性があり、噛み込まれると配線１０６が断線することがある。音量スイッチ１０１を前側より操作し易くするには、図６に仮想線で示すように、上皿装置１０４を大きく開く必要があるが、上皿装置１０４の開度を大きくすると、上皿装置１０４が実線で示す自機の隣に配置された球貸機Ａや仮想線で示すパチンコ機である隣接機Ｂ側に張出して隣接機Ｂで遊技を行う遊技者の邪魔となる不都合がある。
【０００４】
そこで、本発明は音調整操作性の向上と配線引回しの最適化が図れる遊技機の音響装置を提供するものである。
【０００５】
【課題を解決するための手段】
本発明に係る遊技機の音響装置は、前枠の前側に開閉可能に設けられた皿装置が開かれた場合に露出される前壁と、この前壁に左側に位置して前枠の前側に音を放出するように設けられた下放音部と、下放音部より音を前枠の前側に出すように下放音部に格納された低音用スピーカと、前枠の前側に皿装置よりも上部に位置して前枠の前側に音を放出するように設けられた上放音部と、上放音部より音を前枠の前側に出すように上放音部に対応して前枠に設けられた中高音用スピーカと、前枠の裏側に設けられて低音用スピーカおよび中高音用スピーカへの出力を制御する音制御装置と、上記前壁に設けられた収納部と、前枠の前側から収納部に取り付けられたスイッチ基板と、上記前壁に形成された配線孔とを備え、スイッチ基板の前面には音スイッチと複数のコネクタとが実装され、音スイッチが音制御装置からの駆動信号を制御することによって低音用スピーカおよび中高音用スピーカから出力される音を変える音操作部材を有し、複数のコネクタどうしがスイッチ基板に設けられた配線で接続され、音スイッチと複数のコネクタのうちの一方のコネクタとがスイッチ基板に設けられた配線で接続され、複数のコネクタのうちの他方のコネクタには低音用スピーカの裏側に接続された配線が下放音部の裏側および上記前壁の裏側から配線孔を経由して当該前壁の前側で接続され、複数のコネクタのうちの一方のコネクタには音制御装置と音スイッチとを接続するための配線が前枠の裏側から配線孔を経由して前壁の前側で接続されたことを特徴としている。よって、本発明によれば、皿装置を前側に開けて音操作部材を操作することによって、音制御装置から上部における中高音用スピーカおよび下部における低音用スピーカの出力を容易に調整することができるうえ、音響装置における音操作部材の操作性および配線の引回しが良好となる。収納部が前枠の皿装置が開かれた場合に露出される前壁に設けられて前壁の前側から裏側に窪む前方開放状に形成されれば、音操作部材における収納部から前側への突出量つまり長さが大きく設定でき、音操作部材が長くなれば、音操作部材を操作する場合に、音操作部材を操作する手が音操作部材の周辺の部品に干渉しなくなり、音操作部材の操作性が向上する。収納部が周縁より内側に突出するフックを備え、スイッチ基板の周縁が収納部の前側からフックの裏側に挿入され、収納部に収納された基板が収納部に固定具で取付けられ、フックが収納部の一側に配置され、固定具が収納部の他側に配置されれば、音操作部材の前壁への取付作業が簡単となり、固定具の本数が最少数であっても、スイッチ基板の取付姿勢が安定する。
【０００６】
【発明の実施の形態】
図１〜図６は本発明の第１実施形態であって、図１は遊技機としてのパチンコ機の正面を示し、図２はパチンコ機の裏面を示し、図３は音響制御系統を示し、図４は音操作部材２１周りを示し、図５は図４のＡ−Ａ線断面を示し、図６は作用を示す。
【０００７】
図１を参照し、パチンコ機について説明する。パチンコ機の遊技機枠体１では、パチンコ店の島に取付けられる額縁状の外枠２と額縁状の前枠３とが枠ヒンジ４で前方横方向に片開き可能に取付けられる。前枠３の前側面には、パネル枠５と上皿装置６とが飾りヒンジ７で前方横方向に片開き可能に取付けられ、下皿装置８が上皿装置６よりも下部で固定され、ハンドルグリップ９が下皿装置８の右側で矢印方向に回転操作可能に取付けられる。パネル枠５には遊技機枠体１の内部に格納された遊技盤１０を遊技機枠体１の前側より見ることが可能な透視性の有る合成樹脂又はガラスのようなパネル１１が装着される。遊技盤１０における化粧盤面側のガイドレール１２で囲まれた内側の遊技領域には、各種の入賞口装置１３、センタ役物として特別図柄表示装置１４、大当り遊技用の変動入賞口装置１５、アウト口１６が配置される。各種の入賞口装置１３及び変動入賞口装置１５には球検出器が遊技機枠体１の前側より直接的には見えないように配置される。
【０００８】
パネル枠５と下皿装置８との間における前枠３の前壁２０は、合成樹脂により遊技盤１０を搭載する棚を形成し、上皿装置６を閉じた場合に上皿装置６で被覆され、上皿装置６を開いた場合に前側に露出される。前壁２０には、飾りヒンジ７側より反対側に、音操作部材２１、音スイッチ２２、上皿球受樋逃孔２３、下放音部２４、球発射機構２５が設けられる。上皿装置６の裏面には上皿球受樋２６と上皿球排出口２７とが設けられる。上皿装置６が閉じられることにより、上皿球受樋２６の先端部が上皿球受樋逃孔２３を経由して遊技機枠体１の裏面側に突出する。その状態において、遊技機枠体１の裏面に装着された球払出機構４３（図２参照）から払出された球は上皿球受樋２６を経由して上皿装置６の上皿球貯蔵室６ａに流入する。
【０００９】
上皿装置６が開かれることにより、球が上皿球貯蔵室６ａから上皿球排出口２７を経由して落下しないように、上皿球排出口２７は図外のシャッタにより閉鎖される。そして、上皿装置６が閉じられると、シャッタが開き、球が上皿球貯蔵室６ａから上皿球排出口２７と球発射機構２５側に設けられた図外の球送り機構を経由して球発射機構２５側に供給される。
【００１０】
音操作部材２１は音スイッチ２２の可動接点を上中下の三位置にスライドするように動かすものである。第１実施形態では、音操作部材２１の操作により、音の大きさ、高さ、音色である３要素のうちの大きさを調整する場合を例示する。よって、音操作部材２１が上位置に操作されると音スイッチ２２が大音量位置にオン動作し、音操作部材２１が中位置に操作されると音スイッチ２２が中音量位置にオン動作し、音操作部材２１が下位置に操作されると音スイッチ２２が小音量位置にオン動作する。前枠３の上部には左右上放音部２８；２９が左右に分離して設けられる。遊技機枠体１の右縁部には施錠装置３０が右上放音部２９よりも下位に設けられる。
【００１１】
音スイッチ２２の音量位置でのオン信号は遊技機枠体１の裏側に設けられる音制御装置３１に配線３２で出力される。音制御装置３１の音量出力は配線３３；３４；３５で低音用スピーカ３６及び左右中高音用スピーカ３７；３８に個別に出力される。低音用スピーカ３６は下放音部２４より音を遊技機枠体１の前側に出すように下放音部２４に対応して前枠３に設けられ、左中高音用スピーカ３７は左上放音部２８より音を遊技機枠体１の前側に出すように左上放音部２８に対応して前枠３に設けられ、右中高音用スピーカ３８は右上放音部２９より音を遊技機枠体１の前側に出すように右上放音部２９に対応して前枠３に設けられる。
【００１２】
施錠装置３０は図外のキープレートにより操作されることにより図外の枠側ロック機構を介して前枠３又はパネル枠５を個別にアンロック（解放）又はロック（係合）動作する。アンロックにより前枠３又はパネル枠５が開き得る状態となり、ロックにより前枠３又はパネル枠５が開けなくなる。パネル枠５が開かれた状態においてだけ、上皿装置６は開閉可能である。それには、パネル枠５が開かれた状態において上皿装置６の図外の操作レバーを人為的に操作して図外の上皿ロックレバーを前枠３の図外の上皿止具より外する。これにより、上皿装置６が飾りヒンジ７を中心として開閉可能となる。上皿装置６が開かれた状態において、上皿装置６が人為的に裏側に押されて閉じられることにより、上皿ロックレバーが上皿止具に係合し、上皿装置６が開閉不能となる。上皿装置６が閉じられた状態において、パネル枠５が閉じられることにより、上皿装置６の操作レバーは操作不能となる。
【００１３】
図１に示すように、音操作部材２１が上皿装置６の開閉に伴う被覆と解放とがなされる遊技機枠体１の前壁２０に設けられている。つまり、音操作部材２１は遊技機枠体１の上皿装置６の裏側に配置された固定側部材に設けられたので、上皿装置６を開くことにより、音操作部材２１が前側より操作でき、音操作部材２１で操作される音スイッチ２２と遊技機枠体１の裏側に取付けられた音制御装置３１とを接続する配線３２に上皿装置６を開閉するための遊びは不要である。そして、上皿装置６を閉じる場合に、配線３２が上皿装置６と遊技機枠体１との間に噛み込まれることはない。
【００１４】
上皿装置６の開度が小さくても、音操作部材２１は操作可能となる。この点について図６を参照して説明する。遊技機枠体１に飾りヒンジ７を介して取付けられた上皿装置６が実線で示す閉じた位置から点線で示す位置に開かれると、音操作部材２１が操作可能となる。よって、上皿装置６が隣接する球貸機Ａ側や隣接する遊技機Ａ側に出っ張ることはなく隣接する遊技機Ａで遊技する遊技者の邪魔となることはない。
【００１５】
音スイッチ２２が上皿装置６の回転中心を形成する飾りヒンジ７側に配置され、音制御装置３１も遊技機枠体１の裏側で飾りヒンジ７側に設置されたので、音スイッチ２２と音制御装置３１とを接続する配線３２〜３５の引回し（配索）も好適となる。
【００１６】
図２を参照し、パチンコ機の裏側について説明する。前枠３の裏面には金属製のリアプレート４０が取付けられる。リアプレート４０の裏面には上タンク４１と下タンク４２と球払出機構４３及び図外の球払出制御装置や球発射制御装置が設けられる。リアプレート４０に形成された中央開口部４４に対応する遊技盤１０の裏面には音制御装置３１と特別図柄制御装置４５と表示灯制御装置４６及び主制御装置４７が設けられる。これらの制御装置３１；４５〜４７は機能分割されている。
【００１７】
主制御装置４７は賞球関係各種スイッチや入賞球関係各種スイッチ（入賞口装置や変動入賞口装置に設けられた球検出器）からの入力信号により遊技内容の全般に関する制御を実行するためのコンピュータによる制御処理を行い、処理結果であるコマンド信号を配線を通して一方向に音制御装置３１、表示灯制御装置４６、特別図柄制御装置４５及び球払出制御装置や球発射制御装置等に個別に出力する。音制御装置３１や表示灯制御装置４６及び特別図柄制御装置４５並びに球払出制御装置それぞれは主制御装置４７から入力されたコマンド信号によりそれぞれの制御処理を実行する。
【００１８】
音制御装置３１は図１の低音用スピーカ３６や左右中高音用スピーカ３７；３８で音を発生するためのコンピュータによる制御処理を行い、処理結果である駆動信号を低音用スピーカ３６や左右中高音用スピーカ３７；３８に出力する。特別図柄制御装置４５は遊技盤１０に設けられた特別図柄表示器を図柄表示動作するためのコンピュータによる制御処理を行い、処理結果である駆動信号を上記特別図柄表示器に出力する。球払出制御装置は球払出機構４３を球払出動作するためのコンピュータによる制御処理を行い、処理結果である駆動信号を球払出機構４３に出力する。表示灯制御装置４６は遊技盤１０や前枠３に設けられた各種表示灯を点灯又は点滅するためのコンピュータによる制御処理を行い、処理結果である駆動信号を上記表示灯に出力する。
【００１９】
球払出機構４３は球払出制御装置からの駆動信号により上タンク４１から下タンク４２を経由して供給された球を払出し、払出された球を検出した信号を球払出制御装置及び主制御装置４７に出力する。そして、球払出制御装置が球払出機構４３からの球検出信号により計数した値が主制御装置４７からの設定球払出数に到達すると、球払出制御装置が球払出機構４３に停止信号を出力し、この停止信号により球払出機構４３は球払出動作を停止する。球払出機構４３より払出された球は図１の上皿球受樋２６を経由して上皿球貯蔵室６ａに排出される。球払出機構４３は賞球用の単独であっても、賞球用及び球貸用の複数であっても良いが、複数の場合は前後又は左右に重ね合されることにより実施し得る。
【００２０】
図３を参照し、音響制御系統について説明する。音スイッチ２２は音操作部材２１でスライドする可動接点５０が上中下の３つの個別固定接点５１；５２；５３の何れか１つに接触し、可動接点５０及び個別固定接点５２；５３がコネクタ５７；５８と配線５６；５９；６０及びコネクタ６１；６２で音制御装置３１に接続される。音操作部材２１は可動接点５０に取付けられた摘みのようなものである。
【００２１】
音制御装置３１は合成樹脂製のケースに収められるプリント配線基板のような配線基板にワンチップコンピュータ、音合成用ＩＣ（音処理プロセッサ）６３、音ＲＯＭ、アナログスイッチＳＷ１；ＳＷ２；ＳＷ３；ＳＷ４、抵抗器Ｒ１；Ｒ２；Ｒ３；Ｒ４；Ｒ５；Ｒ６；Ｒ７；Ｒ８；Ｒ９；Ｒ１０、低音用アンプＡＭＰ１、左中高音用アンプＡＭＰ２、右中高音用アンプＡＭＰ３、加算器７６、ローパスフィルタ７７、コネクタ６２；６４；６５；６６等の電気部品を実装している。コネクタ６４には低音用スピーカ３６がコネクタ６７及び配線３３で接続され、コネクタ６５には左中高音用スピーカ３７がコネクタ６８及び配線３４で接続され、コネクタ６６には右中高音用スピーカ３８がコネクタ６９及び配線３５で接続される。
【００２２】
音合成用ＩＣ６３と左中高音用アンプＡＭＰ２とは配線基板上のプリント配線のような配線ＬＬで接続され、音合成用ＩＣ６３と右中高音用アンプＡＭＰ３とは配線基板上のプリント配線のような配線ＲＬで接続され、低音用アンプＡＭＰ１には配線ＬＬ；ＲＬより個別に延長した配線基板上のプリント配線のような配線７０；７１を加算器７６に接続し、ローパスフィルタ７７の出力が接続される。アナログスイッチＳＷ１；ＳＷ２は配線基板上のプリント配線のような配線７２；７３でコネクタ６１；６２を介して配線５９；６０に個別にオン又はオフ動作するように接続され、アナログスイッチＳＷ３；ＳＷ４は配線７２；７３より延長した配線基板上のプリント配線のような配線７４；７５でコネクタ６１；６２を介して配線５９；６０に個別にオン又はオフ動作するように接続される。
【００２３】
アナログスイッチＳＷ１の入出力側は抵抗器Ｒ１；Ｒ２を介して配線ＬＬに並列に接続され、アナログスイッチＳＷ２の入出力側は抵抗器Ｒ２を介して配線ＬＬに並列に接続され、アナログスイッチＳＷ３の入出力側は抵抗器Ｒ３；Ｒ４を介して配線ＲＬに並列に接続され、アナログスイッチＳＷ４の入出力側は抵抗器Ｒ４を介して配線ＲＬに並列に接続される。
【００２４】
そして、音操作部材２１の操作により可動接点５０が個別固定接点５１に接続された場合、音スイッチ２２から音制御装置３１に信号は出力されず、アナログスイッチＳＷ１〜ＳＷ４はオフ動作のままである。その状態において、主制御装置４７から音制御装置３１に駆動信号が入力された場合、音合成用ＩＣ６３から配線ＬＬ；ＲＬを経由して出力されたアナログ信号である音信号は抵抗器Ｒ１〜Ｒ１０によって分圧され大音量信号として低音用及び左右中高音用アンプＡＭＰ１〜ＡＭＰ３で増幅されて低音用及び左右中高音用スピーカ３６〜３８に分配され、低音用スピーカ３６が大音量の低音を放出し、左右中高音用スピーカ３６〜３８が大音量の中高音の音を放出する。
【００２５】
音操作部材２１の操作により可動接点５０が個別固定接点５２に接続された場合、音スイッチ２２からアナログスイッチＳＷ２；ＳＷ４にデジタル信号であるオン信号が出力されアナログスイッチＳＷ１；ＳＷ３に信号が出力されず、アナログスイッチＳＷ２；ＳＷ４がオン動作し、アナログスイッチＳＷ１；ＳＷ３はオフ動作のままである。その状態において、主制御装置４７から音制御装置３１に駆動信号が入力された場合、音合成用ＩＣ６３から配線ＬＬ；ＲＬを経由して出力された音信号は抵抗器Ｒ１〜Ｒ１０によって分圧され中音量信号として低音用及び左右中高音用アンプＡＭＰ１〜ＡＭＰ３で増幅されて低音用及び左右中高音用スピーカ３６〜３８に分配され、低音用スピーカ３６が中音量の低音を放出し、左右中高音用スピーカ３６〜３８が中音量の中高音の音を放出する。
【００２６】
音操作部材２１の操作により可動接点５０が個別固定接点５３に接続された場合、音スイッチ２２からアナログスイッチＳＷ１；ＳＷ３にデジタル信号であるオン信号が出力されアナログスイッチＳＷ２；ＳＷ４に信号が出力されず、アナログスイッチＳＷ１；ＳＷ３がオン動作し、アナログスイッチＳＷ２；ＳＷ４はオフ動作する。その状態において、主制御装置４７から音制御装置３１に駆動信号が入力された場合、音合成用ＩＣ６３から配線ＬＬ；ＲＬを経由して出力された音信号は抵抗器Ｒ１〜Ｒ１０によって分圧され小音量信号として低音用及び左右中高音用アンプＡＭＰ１〜ＡＭＰ３で増幅されて低音用及び左右中高音用スピーカ３６〜３８に分配され、低音用スピーカ３６が小音量の低音を放出し、左右中高音用スピーカ３６〜３８が小音量の中高音の音を放出する。
【００２７】
音スイッチ２２でアナログスイッチＳＷ１〜ＳＷ４のようなスイッチをオン又はオフ動作することにより、音量(音の大きさ)を切替える構造であるので、音スイッチ２２と音制御装置３１とを接続する配線５９；６０にノイズが混入しても、当該ノイズが配線ＬＬ；ＲＬに侵入することがなく、当該ノイズが増幅されて低音用及び中高音用スピーカ３６〜３８より放出されることはなく、低音用及び中高音用スピーカ３６〜３８が聞きやすい音を奏でることができる。
【００２８】
音スイッチ２２は無段階に調整可能なアナログ式でも良いが、音スイッチ２２には上中下の三段階のように段階に調整可能なデジタル式を用いたので、上皿装置６の開度が少しでも所望の調整位置に適切に操作することができる。
【００２９】
図４及び図５を参照し、音操作部材２１周りについて説明する。前壁２０はリアプレート４０の前側面に接触し、リアプレート４０に形成された上皿球受樋逃孔２３よりも下位における前壁２０の上面には遊技盤１０の下側面が搭載される。遊技盤１０の左下隅部には上皿球受樋逃孔２３を避ける切欠部８０が形成される。前壁２０には縦溝状の収容部８１が上皿球受樋逃孔２３と対応する位置に形成され、収容部８１には図３の低音用スピーカ３６を格納した箱型の下放音部２４が取付けられる。前壁２０には前方開放状の収納部８２が収容部８１の左隣に（図１の飾りヒンジ７側）に形成される。
【００３０】
収納部８２の開口左側上下隅部にはフック８３；８４が収納部８２の内側に向けて突出される。そして、プリント配線基板のようなスイッチ基板８５の左縁部が収納部８２の前側よりフック８３；８４と収納部８２の前面との隙間に嵌め込まれるように、スイッチ基板８５が収納部８２に格納され、止ねじ８６が前側よりスイッチ基板８５を経由して収納部８２に締結され、スイッチ基板８５が前壁２０に取付けられる。
【００３１】
スイッチ基板８５の前面には音スイッチ２２とコネクタ８７；８８とが実装されており、音操作部材２１が音スイッチ２２の前面より前側に突出する。音スイッチ２２とコネクタ８８とはスイッチ基板８５の裏面に設けられたプリント配線のような配線で接続されている。コネクタ８７にはコネクタ８９が嵌め込まれ、コネクタ８９に接続された図３の配線３３に相当する配線９０は配線孔９１を経由して下放音部２４の裏側から前面に向けて配置した低音用スピーカ３６に接続される。コネクタ８８は図３のコネクタ５７に相当するものであって、コネクタ８８には図３のコネクタ５８に相当するコネクタ９２が嵌め込まれる。コネクタ８８には低音用スピーカ３６が接続されたコネクタ８７からの配線が併設される。コネクタ９２に接続された図３の配線５６；５９；６０に相当する配線９３は前壁２０及びリアプレート４０のそれぞれに形成された図外の配線孔とを経由してリアプレート４０の裏側に引出される。
【００３２】
図４及び図５に示すように、音操作部材２１を備えた音スイッチ２２の実装されたスイッチ基板８５が、遊技盤１０を載せる前壁２０に前側面より裏側に窪み形成された収納部８２に格納されたので、遊技盤１０の前側に配置されたパネル１１とスイッチ基板８５との間の間隔が広くなり、音操作部材２１における音スイッチ２２の表面から突出量つまり長さが大きく設定でき、当該音操作部材２１が長くなれば、音操作部材２１を操作する場合に、音操作部材２１を操作する手が音操作部材２１の周辺の部品に干渉しなくなり、音操作部材２１の操作がやり易くなる。
【００３３】
図５に示すように、収納部８２が周縁より内側に突出したフック８３；８４を備え、音操作部材２１が実装されたスイッチ基板８５の周縁がフック８３；８４の裏側に挿入され、収納部８２に格納されたスイッチ基板８５が固定具である止ねじ８６で収納部８２に取付けられたので、音操作部材２１の前壁２０への取付作業が簡単である。
【００３４】
フック８３；８４と止ねじ８６とが収納部８２の相対する一側と他側とに分離配置されたので、止ねじ８６の本数が最少数であっても、スイッチ基板８５の取付姿勢が安定する。
【００３５】
図７は本発明の第２実施形態を示す。前枠３の前面を覆う化粧部材９４に開閉体９５を開閉可能に設け、開閉体９５が開かれることにより露出される前枠３のような前壁に音操作部材２１又はスイッチ基板８５を設ければ、音操作部材２１と低音用スピーカ３６と左右上中高音用スピーカ３７；３８と音制御装置３１を相互に接続する配線が前枠３の裏側に集約できる。スイッチ基板８５は左上中高音用スピーカ３７のスピーカ中継基板と兼用しても良い。
【００３６】
第１実施形態では音操作部材２１の操作で低音用及び左右中高音用アンプＡＭＰ１〜ＡＭＰ３に入力される信号の電圧を変えて音の大きさ調整したが、音操作部材２１の操作で低音用及び左右中高音用アンプＡＭＰ１〜ＡＭＰ３に入力される信号の周波数を変えて音の高さを例えば１オクターブ高くしたり低くするように調整したり、又は、音操作部材２１の操作で低音用及び左右中高音用アンプＡＭＰ１〜ＡＭＰ３に入力される信号の周波数特性で変えて例えばピアノで奏でる音やトランペットで奏でる音のように音色を調整することも可能である。
【００３７】
第１実施形態では上皿装置６を開いたときに前側より操作可能なように音操作部材２１と音スイッチ２２とを前壁２０に設けたが、上皿装置６を開いたときに前側より操作可能なように音操作部材２１は前壁２０に設けることは勿論であるが、上皿装置６を開いたときに前側より見えないように音スイッチ２２は前壁２０の裏側に設ければ、見栄えがよくなる。
【００３８】
第１実施形態はパチンコ機を示したが、スロットマシンにも適用できる。この場合、前枠３に装着される役物として遊技盤１０に代えて図柄可変表示装置が用いられ、又、前記遊技盤１０に取付けられる種々部品は遊技機枠体１に取付けられることは勿論である。
【図面の簡単な説明】
【図１】  本発明の第１実施形態のパチンコ機を示す正面図。
【図２】  同第１実施形態のパチンコ機を示す背面図。
【図３】  同第１実施形態の音響制御系統を示すブロック図。
【図４】  同第１実施形態の音操作部材周りを示す斜視図。
【図５】  図４のＡ−Ａ線断面図。
【図６】  同第１実施形態の作用を説明する摸式図。
【図７】  本発明の第２実施形態のパチンコ機を示す正面図。
【図８】  従来例を示す摸式図。
【符号の説明】
１  遊技機枠体
６  上皿装置
７  飾りヒンジ
２０  前壁
２１  音操作部材
２２  音スイッチ
２４  下放音部
２８  左上放音部
２９  右上放音部
３６  低音用スピーカ
３７  左上中高音用スピーカ
３８  右上中高音用スピーカ
８２  収納部
８３；８４  フック
８５  スイッチ基板
８６  止ねじ
ＳＷ１〜ＳＷ４  デジタルスイッチ
【図１】
0003782292.tif 000002
【図２】
0003782292.tif 000003
【図３】
0003782292.tif 000004
【図４】
0003782292.tif 000005
【図５】
0003782292.tif 000006
【図６】
0003782292.tif 000007
【図７】
0003782292.tif 000008
【図８】
0003782292.tif 000009